(57)【要約】【課題】  本発明は、従来の油切りに用いられる手法よりも積極的に対象物の表面に付いた液滴を除去する吸収シートを提供することを目的とする。【解決手段】  対象物の表面に付いた液滴や液膜を除去する吸収シートであって、シート状の形態であるシート部と、前記シート部に設けられた複数の第１切れ目と、前記第１切れ目と交差する方向に設けられた複数の第２切れ目とを備え、前記第１切れ目同士の間に、複数の前記第２切れ目が設けられていて、１本の前記第１切れ目に対して複数の前記第２切れ目が接続している、吸収シートである。揉むと少なくとも一部の第２切れ目がシート部の一部に引っ掛かって立体的に膨らんだ状態にすることが容易となる。結果として、吸収シートと対象物との接点を増やして対象物表面の液滴を効率的に吸収することが可能となる。シート状であることによる輸送の利便性と、高い吸収効率とを両立する吸収シートを提供することが可能となる。【選択図】  図１１
2020164247.tif 000002
【特許請求の範囲】
【請求項１】
対象物の表面に付いた液滴や液膜を除去する吸収シートであって、
シート状の形態であるシート部と、
前記シート部に設けられた複数の第１切れ目と、
前記第１切れ目と交差する方向に設けられた複数の第２切れ目とを備え、
前記第１切れ目同士の間に、複数の前記第２切れ目が設けられていて、
１本の前記第１切れ目に対して複数の前記第２切れ目が接続している、吸収シート。
【請求項２】
複数の前記第２切れ目は、千鳥状に設けられていて、前記シート部を前記第２切れ目に対して垂直方向に引っ張ると前記シート部が網状に広がる、請求項１記載の吸収シート。
【請求項３】
前記第２切れ目と交差する方向の前記シート部の辺に複数の前記第２切れ目が達している、請求項２記載の吸収シート。
【請求項４】
前記シート部の縁の少なくとも一部に、前記第１切れ目及び前記第２切れ目が入っていない縁部と、
前記縁部に、前記第１切れ目と交差する方向に設けられた第３切れ目とをさらに備える、請求項１から３のいずれかに記載の吸収シート。
【請求項５】
前記シート部は、
第１シートと、
前記第１シートよりも剛性が高い第２シートの複数のシートを有し、
前記第１シートは、前記第２シートよりも吸収性が高く、
前記第１切れ目及び前記第２切れ目の少なくともいずれか一方の少なくとも一部は、前記第１シート及び前記第２シートを貫通している、請求項１から４のいずれかに記載の吸収シート。
【請求項６】
複数の前記第１シートが、前記第２シートを挟み込むように積層されている、請求項５記載の吸収シート。
【請求項７】
請求項１から６のいずれかに記載の前記吸収シートが切り取り線を介して複数枚接続されている、吸収シートロール。
【請求項８】
揚げ物の表面に付いた油滴や油膜を吸油する吸油方法であって、
請求項１から６のいずれかに記載の前記吸収シートを揉むことにより、少なくとも一部の前記第２切れ目が前記シート部の一部に引っ掛かっている立体形状にする立体化工程と、
前記立体化工程により立体化した前記吸収シートの上に前記揚げ物を置く静置工程とを含む、吸油方法。
【請求項９】
前記立体化工程の前に、請求項３から６のいずれかに記載の前記吸収シートの前記シート部を前記第２切れ目に対して垂直方向に引っ張って前記シート部を網状に広げる網状化工程をさらに含む、請求項８記載の吸油方法。
【発明の詳細な説明】
【技術分野】
【０００１】
本発明は、吸収シート、吸収シートロール及び吸油方法に関し、特に、対象物の表面に付いた液滴や液膜を除去する吸収シート等に関する。
【背景技術】
【０００２】
健康志向の高まりに伴い、唐揚げ等の揚げ物の油分を減らして消費者に提供する敷き板等が開発されてきた。
【０００３】
例えば、とんかつ、めんちかつ、コロッケ、唐揚げ、てんぷら、ポテトフライ等の揚げ物食品の敷き板であって、揚げ物食品の油切りを良好とする紙製の敷き板が知られている（特許文献１）。また、切れ目のついたクッキングシートの下にキッチンペーパーを重ねて肉や魚を包むことが提案されている（特許文献２）。
【先行技術文献】
【特許文献】
【０００４】
【特許文献１】特開２０１３−１０７６９５号公報
【特許文献２】登録実用新案第３１６３０７７号公報
【発明の概要】
【発明が解決しようとする課題】
【０００５】
しかしながら、特許文献１記載の敷き板は、切った油が揚げ物食品に再度付着することを防止するためのものであり、油切り自体は自然落下に任せている点で消極的な油切り方法といえる。
【０００６】
また、特許文献２に記載の技術は、「水、油を通さない」（特許文献２の明細書０００６段落）クッキングシートで肉や魚を包み、クッキングシートの切れ目を介してキッチンペーパーに油を吸収させるため、揚げ物食品から油を分離することについては、特許文献１に記載の技術と同じく消極的と言わざるを得ない。
【０００７】
ゆえに、本発明は、従来の油切りに用いられる手法よりも積極的に対象物の表面に付いた液滴を除去することが可能な、食品に対しても使用できる吸収シートを提供することを目的とする。
【課題を解決するための手段】
【０００８】
本発明の第１の観点は、対象物の表面に付いた液滴や液膜を除去する吸収シートであって、シート状の形態であるシート部と、前記シート部に設けられた複数の第１切れ目と、前記第１切れ目と交差する方向に設けられた複数の第２切れ目とを備え、前記第１切れ目同士の間に、複数の前記第２切れ目が設けられていて、１本の前記第１切れ目に対して複数の前記第２切れ目が接続している、吸収シートである。
【０００９】
本発明の第２の観点は、第１の観点の吸収シートであって、複数の前記第２切れ目は、千鳥状に設けられていて、前記シート部を前記第２切れ目に対して垂直方向に引っ張ると前記シート部が網状に広がる。
【００１０】
本発明の第３の観点は、第２の観点の吸収シートであって、前記第２切れ目と交差する方向の前記シート部の辺に対して複数の前記第２切れ目が達している。
【００１１】
本発明の第４の観点は、第１から第３のいずれかの観点の吸収シートであって、前記シート部の縁の少なくとも一部に、前記第１切れ目及び前記第２切れ目が入っていない縁部と、前記縁部に、前記第１切れ目と交差する方向に設けられた第３切れ目とをさらに備える。
【００１２】
本発明の第５の観点は、第１から第４のいずれかの観点の吸収シートであって、前記シート部は、第１シートと、前記第１シートよりも剛性が高い第２シートとを有し、前記第１シートは、前記第２シートよりも吸収性が高く、前記第１切れ目及び前記第２切れ目の少なくともいずれか一方の少なくとも一部は、前記第１シート及び前記第２シートを貫通している。
ている。
【００１３】
本発明の第６の観点は、第５の観点の吸収シートであって、複数の前記第１シートが、前記第２シートを挟み込むように積層されている。
【００１４】
本発明の第７の観点は、第１から第６のいずれかの観点の前記吸収シートが切り取り線で複数枚接続されている、吸収シートロールである。
【００１５】
本発明の第８の観点は、揚げ物の表面に付いた油滴や油膜を吸油する吸油方法であって、第１から第６のいずれかの観点の前記吸収シートを揉むことにより、少なくとも一部の前記第２切れ目が前記シート部の一部に引っ掛かっている立体形状にする立体化工程と、前記立体化工程により立体化した前記吸収シートの中に前記揚げ物を置く静置工程とを含む、吸油方法である。
【００１６】
本発明の第９の観点は、第８の観点の吸油方法であって、前記立体化工程の前に、請求項３から６のいずれかに記載の前記吸収シートの前記シート部を前記第２切れ目に対して垂直方向に引っ張って前記シート部を網状に広げる網状化工程をさらに含む。
【００１７】
本発明の第１０の観点は、対象物の表面に付いた液滴や液膜を除去する吸収シートであって、シート状の形態であるシート部と、複数の切れ目とを備える、吸収シートである。
【００１８】
本発明の第１１の観点は、第１０の観点の吸収シートであって、前記シート部の縁の少なくとも一部に、前記切れ目が入っていない縁部をさらに備える。
【００１９】
本発明の第１２の観点は、第１１の観点の吸収シートであって、前記切れ目に沿って切り離してもシート部全体が分離せずに１つに接続されている。
【００２０】
本発明の第１３の観点は、第１２の観点の吸収シートであって、長方形又は正方形の形状であり、４辺全てに前記縁部が存在しており、前記縁部に囲まれる領域に複数が配列するように入っているものである。
【００２１】
本発明の第１４の観点は、第１３の観点の吸収シートであって、前記切れ目は、隣り合う切れ目との間隔が、最も狭いところで２ｍｍ以上であり、最も広いところで９ｃｍ以下である。
【００２２】
本発明の第１５の観点は、第１３又は第１４の観点の吸収シートであって、前記縁部は、１辺の長さに対して３３％以下の長さである。
【００２３】
本発明の第１６の観点は、第１２の観点の吸収シートであって、当該吸収シートは、長方形又は正方形であり、少なくとも対向する２辺のうち１辺は、前記切れ目が入っていない前記縁部であり、他の１辺は縁まで切れ目が入っている。
【００２４】
本発明の第１７の観点は、第１０から第１６のいずれかの観点の前記吸収シートが切り取り線で複数枚接続されている、吸収シートロールである。
【００２５】
本発明の第１８の観点は、第１７の観点の吸収シートロールであって、前記切れ目は、前記切り取り線と交わる方向に線状に形成されている。
【００２６】
本発明の第１９の観点は、第１０から第１２及び第１６のうちいずれかの観点の吸収シートが切り取り線で複数枚接続されており、前記切れ目は、前記切り取り線まで延びている、吸収シートロールである。
【発明の効果】
【００２７】
本発明の各観点によると、持ち運びや設置の際には平面的で場所を節約しつつ、吸収シートを揉むことで短冊部がお互いに絡み合って立体的に膨らんだ形状となる。さらに、複数の第１切れ目と複数の第２切れ目が形成する複数の切れ端が、第１切れ目、シート部の辺又は他の第２切れ目などのシート部の一部に引っかかることで立体的に膨らんだ形状を安定化することが可能となる。これにより、対象物を安定で崩れにくい立体的に膨らんだ形状の内部に埋没させるように入れ込み、吸収シートとの接触面積を飛躍的に増大させて表面に付いた液滴や液膜を積極的に除去する吸収シートを提供可能となる。
【００２８】
本発明の第２の観点によると、千鳥状に設けられた第２切れ目を網状に広げることにより短冊部が伸長するため、より膨らんだ形状の吸収シートを提供することが可能になる。また、第２切れ目がシート部の一部に絡み合いやすくなり、立体的に膨らんだ形状を容易に保持することが可能になる。
【００２９】
本発明の第３の観点によると、網状に広がる部分が多いためより膨らみやすく、また、全部の第２切れ目を容易に網状に広げることが可能になる。
【００３０】
本発明の第４の観点によると、対向する辺の縁部を第３切れ目に入れ込むことで、吸収シートを揉みこむことなく対象物を風呂敷のように包み込むことが可能となる。これにより、対象物の表面に付いた液滴や液膜を除去することがさらに容易となる。
【００３１】
本発明の第５の観点によると、高い吸収性と剛性が高い特性の両方を備えた特殊なシートを使用せずとも、高い吸収性と高い剛性を併せ持つ吸収シートを提供することが可能となる。
【００３２】
本発明の第６の観点によると、使用者が吸収シートの表裏を気にすることなく、吸収性と高い剛性を併せ持つ吸収シートを利用することが可能となる。
【００３３】
本発明の第１０の観点によれば、吸収シートに切れ目が入っていることにより、揉むと絡み合って立体的に膨らんだ状態にすることが容易となる。結果として、吸収シートと対象物との接点を増やして対象物表面の液滴を効率的に吸収することが可能となる。このため、シート状であることによる輸送や収納の利便性と、使用時に立体的な構造とすることによる高い吸収効率とを両立する吸収シートを提供することが可能となる。
【００３４】
また、本発明の第１１の観点によれば、少なくとも吸収シートの１辺は切れ目が入っていない縁部を備えている。このため、対象物が食べ物である場合に、吸収シートがバラバラになって対象物と共に誤飲するリスクを低減することが容易となる。
【００３５】
さらに、本発明の第１２の観点によれば、吸収シート全体が１つにつながっているため、構造が立体的で高い吸収効率と廃棄するときの簡便さとを両立する吸収シートを提供することが可能となる。
【００３６】
さらに、本発明の第１３から第１６の観点によれば、使用者が吸収シートを揉むことにより、容易にかつ安定して立体的な構造が得られる吸収シートを提供することが可能となる。
【００３７】
また、本発明の第１８の観点によれば、使用者が吸収シートロールから個々の吸収シートを切り離して使用する際、切り取り線と切れ目とが平行だと、吸収シートの切れ目にも切れる力が働く。そうすると、吸収シートの切れ目が勢いよく切れる結果、縁部等の切れ目でない箇所まで破損しかねない。そこで、切れ目が切り取り線と交わる方向に設けられることにより、個々の吸収シートの破損を防止することが容易となる。
【００３８】
さらに、本発明の第１９の観点によれば、個々の吸収シートを切り離した後に、切れ目の一端が縁まで入っているので、切れ目を切り離すことが容易となる。したがって、使用者が立体的な形状をなすことがさらに容易となる。
【図面の簡単な説明】
【００３９】
【図１】実施例１の吸油紙の概要を示す模式図である。
【図２】吸油紙の使用方法について示す図である。
【図３】３種類の吸油方法を比較した結果を示す図である。
【図４】規格が統一された３種類の対象物に対する吸油量を比較した結果を示す図である。
【図５】実験で使用した３種類の切れ目を示す図である。
【図６】立体形状に揉み込んだ吸油紙の広がりを比較した結果を示す図である。
【図７】立体形状に揉み込んだ吸油紙の高さを比較した結果を示す図である。
【図８】吸油紙の切れ目の様々な例を示す図である。
【図９】吸油紙の切れ目のピッチと吸油紙のからみ具合との関係を示す図である。
【図１０】吸油紙の切れ目の縁の幅と吸油紙のからみ具合との関係を示す図である。
【図１１】実施例２の吸油紙の概要を示す模式図である。
【図１２】吸油紙の第２切れ目及び第３切れ目を示す図である。
【図１３】三角錐形状の対象物を吸油紙４５で包んだ状態を例示する図である。
【図１４】吸油紙の第１切れ目及び第２切れ目の様々な例を示す図である。
【図１５】実施例３の吸油紙の概要を示す模式図である。
【図１６】実施例４の吸油紙の概要を示す模式図である。
【発明を実施するための形態】
【００４０】
以下、図面を参照して、本願発明の実施例について述べる。なお、本願発明の実施の形態は、以下の実施例に限定されるものではない。
【実施例１】
【００４１】
図１は、本願発明の実施例１に係る吸油紙１（本願請求項の「吸収シート」の一例）の概要を示す模式図である。吸油紙１は、唐揚げなどの対象物の表面に付いた油滴や油膜を吸い取るものであり、一般的なペーパータオルの大きさである。吸油紙１は、シート部３（本願請求項の「シート部」の一例）と、複数の切れ目５とを備える。シート部３は、縁部７（本願請求項の「縁部」の一例）と、短冊部９とを有する。具体的には、吸油紙１には、約１ｃｍの縁部７を残して同じ方向に同じ長さの切れ目５が入っている。結果として、吸油紙１は、縁部７でつながった幅約１ｃｍの短冊状のシートとなっている。ただし、使用前の切れ目５は、ミシン目でつながっている。
【００４２】
続いて、図２を参照して、吸油紙１の使用方法について述べる。図２は、吸油紙の使用方法について示す図である。図２（ａ）に示すように、使用者は、吸油紙１を使用する前に切れ目５を切り離す。続いて、図２（ｂ）に示すように、吸油紙１を揉んで複数の短冊からなる短冊部９を絡み合わせることにより吸油紙１を立体化させる（以下、「立体化工程」と記載）。さらに、図２（ｃ）に示すように、立体化した吸油紙１の中に唐揚げ等の対象物１１を入れることにより、対象物１１の表面に付いた油滴や油膜を吸い取る。
【００４３】
以下、図３を参照して、本実施例の吸油紙の効果を確認した実験方法について述べる。図３は、３種類の吸油方法を比較した様子を示す図である。（１）鶏肉５個を油で揚げた状態（図３(a)-(c)）。（２）（１）で揚げた唐揚げ５個を３種類の吸油紙に５分静置した状態（図３(d)-(f)）。（３）から揚げを取り除き油を吸った吸油紙の状態（図３(g)-(i)）である。
【００４４】
ここで、３種類の吸油紙として、本実施例に係る吸油紙に対して立体化工程を施したもの、平置き（立体化工程を経ずに平面状のまま油を吸わせること）の吸油紙、平置きのキッチンペーパーを使用した。
【００４５】
なお、計測内容として、油を吸う前の吸油紙の重さ、油を吸った後の吸油紙の重さ、唐揚げの重さを計測し、記録した。また、３種類の吸油方法についてそれぞれ３回計測を行い、その平均値を計測結果とした。計測結果を表１に示す。
【００４６】
【表１】
2020164247.tif 000003
【００４７】
表１に示すように、吸油紙に対して立体化工程を施して吸油させることにより、平置きの場合に比べて２倍超の吸油が可能となった。これは、吸油紙が立体的であることにより唐揚げなどの対象物との接点が増えた結果、より多くの毛細管現象が生じたためと考えられる。
【００４８】
さらに、吸油紙に切れ目が入ったことにより、吸油紙の立体配位の自由度が増したことも、吸油紙の空間的な拡がり度合いを増加させている。結果として、唐揚げ等の対象物が吸油紙の中に埋もれやすくなり、吸油紙との接点を増やしているものと考えられる。
【００４９】
なお、吸油紙は、唐揚げの油を吸油する他にも、果物等の対象物の水滴を吸収することに用いてもよい。その他、対象物の表面に付いた液滴や液膜を除去する吸収シートとして用いてもよい。
【００５０】
また、から揚げは大きさや形がそれぞれ異なるため、データのバラツキが大きいと考えられる。そのため、形状に規格性がある対象物で本実施例の吸油紙の効果を確認した実験方法について述べる。計測内容として、油を吸う前の全体の重量、油を吸った後の全体の重量、揚げた対象物を除いた重量を計測し、記録した。また、３種類の対象物において、それぞれ吸油紙が吸った油の重量を算出し、比較した測定結果を図４に示す。
【００５１】
図４に示すように、「消しゴム片」や「うずらの卵」などの立体的で球体に近い形状の対象物は、吸油紙に対して立体化工程を施して吸油させることにより、平置きの場合に比べて４倍前後の吸油が可能となった。しかしながら、バームクーヘンは平置きの吸油紙の方が多く吸油する結果となった。これは、扁平部の設置面積が大きいことによると考えられる。一般的な形状では、必ずしも扁平部の接地面積が大きいとは限らないため、「消しゴム片」や「うずらの卵」の実験結果に近い実験結果になると考えられる。
【００５２】
続いて、吸油紙を揉み込んだ時に効果的に立体形状になるような切れ目パターンについての効果を確認した実験方法について述べる。図５（Ａ）〜（Ｃ）に示すような切れ目が入った吸油紙を各５枚ずつ２０秒間揉み込んで平面に静置した時の吸油紙の広がりと高さを比較した。また、図５に示されている吸油紙への切れ目パターンの裏図面（底面図）は表図面（平面図）と対称につき省略する。
【００５３】
立体形状に揉み込んだ吸油紙の広がりを比較した結果を図６に示す。図６に示すように、図５（Ａ）の立体形状を上部から見た状態１１と図５（Ｃ）の立体形状を上部から見た状態１５は吸油紙同士が絡まりにくく、平面に置いた時に絡まりが解けて開きそうになっているが、図５（Ｂ）の立体形状を上部から見た状態１３は吸油紙同士が絡まり纏まっていることが分かる。
【００５４】
また、立体形状に揉み込んだ吸油紙の高さを比較した結果を図７に示す。図７に示すように、図５（Ａ）の立体形状を側面から見た状態１７と図５（Ｃ）の立体形状を側面から見た状態２１は、立体形状が形成されてはいるものの、高さと密度が比較的低い。それに比べ、図５（Ｂ）の立体形状を側面から見た状態１９は、纏まっているため高さもあり密度も高くなっている。
【００５５】
上記の理由から図５（Ｂ）の切れ目パターンは、図５（Ａ）や図５（Ｃ）の切れ目パターンよりも、広がらず良く絡まった解けにくい立体形状を形成できていることが分かる。
【００５６】
さらに、吸油紙への切れ目パターンは図８の（a）〜（i）に示すような形状でもよい。また、図８に示されている吸油紙への切れ目パターンの裏図面（底面図）は表図面（平面図）と対称につき省略する。
【００５７】
続いて、図９を参照して、切れ目のピッチについて検討した結果について述べる。図９は、吸油紙の切れ目のピッチと吸油紙のからみ具合との関係を示す図である。なお、吸油紙の縁は、１ｃｍに統一した。
【００５８】
図９(a)に示すように、ピッチを１ｍｍとした場合、吸油紙が充分に膨らまなかったため、対象物が吸油紙に沈まず、かつ、油が付着するとちぎれてしまう等、期待するほどの効果が得られなかった。他方、２ｍｍ〜９ｃｍまでは、吸油紙が適切に立体的な膨らみを見せた。したがって、今回の実験からは、切れ目のピッチが２ｍｍ以上９ｃｍ以下が好ましいことが分かった。
【００５９】
さらに、図１０を参照して、縁の幅について検討した結果について述べる。図１０は、吸油紙の切れ目の縁の幅と吸油紙のからみ具合との関係を示す図である。なお、吸油紙の切れ目のピッチは１ｃｍに統一した。
【００６０】
図１０（ｈ）に示すように、縁の幅を１辺（約21.5cm）の41.9%も取ると、切れ目の数が減ることに加えて切れ目の長さも短くなり、吸油紙同士がからまずに立体的に十分に膨らまなかった。他方、縁の幅を１辺の0.5％〜33%とした場合は、吸油紙同士がからんで立体的な膨らみが得られた。
【００６１】
なお、図９及び図１０においては、正方形の吸油紙の４辺全ての縁を残す形とした。しかし、長方形の吸油紙や、１〜３辺のみ縁を残す形としてもよい。
【００６２】
吸油紙の大きさは、市販されている一般的なキッチンペーパーの標準的なサイズ（横220mm×縦230mm）か、その他の大きさでもよい。
【００６３】
吸油紙の形状は、正方形及び長方形に限定されず、円形、台形、平行四辺形又は多角形としてもよい。
【００６４】
また、吸油紙は、紙以外の吸収体であってもよい。輸送の利便性を考えると、シート状のものに切れ目が入ることで容易に絡ませて立体化するものが好ましい。
【００６５】
さらに、吸油紙の切れ目は、異なる方向であってもよいし、異なる長さであってもよい。
【００６６】
さらに、吸油紙の切れ目は、シート部を短冊状にするものに限らず、他の切れ目であってもよい。切れ目を切り離した後もシート部が分離せずにつながっているように切れ目を入れることは、吸油紙を処分する際に手間が省ける点で好ましい。
【００６７】
さらに、本実施例の吸油紙を切り取り線で接続した吸油シートロール（本願請求項の「吸収シートロール」の一例）として提供してもよい。また、一般的なティッシュペーパーのように、複数の吸油紙が接続されずに１つの箱に収められて提供されるものであってもよい。
【実施例２】
【００６８】
図１１は、本願発明の実施例２に係る吸油紙３１（本願請求項の「吸収シート」の一例）の概要を示す模式図である。吸油紙３１は、実施例１と同様にシート部３３（本願請求項の「シート部」の一例）と、実施例１の切れ目５に相当する第１切れ目３５（本願請求項の「第１切れ目」の一例）とを備える。シート部３３は、実施例１と同様に、縁部３７（本願請求項の「縁部」の一例）と、短冊部３９とを有する。
【００６９】
吸油紙３１は、第１切れ目３５よりも短い第２切れ目４１（本願請求項の「第１切れ目」の一例）と、第３切れ目４３（本願請求項の「第３切れ目」の一例）をさらに備える。具体的には、吸油紙３１は正方形であり、吸油紙３１の向かい合う二辺に約１ｃｍずつの縁部３７を残し、縁部３７の二辺に対して垂直方向に同じ長さの第１切れ目３５が複数設けられている。複数の第２切れ目４１のうち少なくとも一部は、第１切れ目３５同士の間に設けられていて、また、第１切れ目に接続しており、第１切れ目３５に対して垂直に、千鳥状に設けられている。ここで、「千鳥状」とは、向かい合う複数の第２切れ目４１の間に互いに切れ込んでいる状態を指す。そのため、シート部３３を第２切れ目４１に対して垂直方向に引っ張るとシート部３３が網状に広がる。また、第２切れ目と交差する方向のシート部の二辺に複数の第２切れ目が接続している。そのため、網状に広がる部分が多く、より立体的に膨らんだ形状にすることができ、また、全部の第２切れ目を容易に網状に広げることができる。第３切れ目４３は、第１切れ目３５に対して垂直な吸油紙３１の辺側の縁部３７に、第１切れ目３５に対して垂直方向に設けられている。
【００７０】
シート部３３を第２切れ目４１に対して垂直方向に引っ張ってシート部３３を網状に広げた後（本願請求項の「網状化工程」の一例）、シート部３３を揉むと短冊部３９がお互いに絡み合って立体的に膨らんだ形状になり、さらに少なくとも一部の第２切れ目４１が、第１切れ目３５、シート部３３の辺又は他の第２切れ目４１などのシート部３３の任意の部分に引っかかることで立体的に膨らんだ形状を安定化することが可能となる（本願請求項の「立体化工程」の一例）。複数の第１切れ目３５と複数の第２切れ目４１が複数の切れ端を形成する結果、立体化した後のシート部３３は、対象物を外から包み込むだけでなく、立体形状のの内部でも切れ端が対象物と接することとなる。これにより、対象物を膨らんだ形状の内部に埋没させるように入れ込んだ際（本願請求項の「静置工程」の一例）、吸油紙３１との接触面積を飛躍的に増大させることが可能となり、表面に付いた液滴や液膜を除去することが容易となる。同時に、多数の切れ端が発生することはエントロピーの増大を伴い、立体化が不可逆変化となることを促進する。このため、立体形状が平面化することを防ぐことが容易となる。
【００７１】
また、対向する辺の縁部３７を第３切れ目４３に入れ込むことで、吸油紙３１を揉みこむことなく対象物を風呂敷のように包み込むことが可能となる。これにより、対象物の表面に付いた液滴や液膜を除去することがさらに容易となる。
【００７２】
図１２は、吸油紙４５の第２切れ目４７及び第３切れ目４９を示す図であり、第１切れ目を設けていない状態の図である。図１２（ａ）に示すように、第２切れ目４７は千鳥状に設けられていて、第３切れ目４９は対向する２本の線分を形成するように２つ設けられている。吸油紙４５を第２切れ目４７に対して垂直方向に引っ張ると、図１２（ｂ）に示すように吸油紙４５が網状に広がる。
【００７３】
図１３は、例として三角錐形状の対象物を吸油紙４５で包んだ状態を示す図である。図１３（ａ）に示すように、２つの第３切れ目４９を互いに入れ込んで固定すると、吸油紙４５で２２個の対象物を風呂敷のように包み込むことができる。また、図１３（ｂ）に示すように、対象物の上に吸油紙を乗せ、その外側を１枚の吸油紙で包むことで、隙間を埋めることができ、吸油性をさらに高めることが可能になる。図１３（ｃ）は、ここで例として用いた対象物を示す図である。
【００７４】
第１切れ目、第２切れ目及び第３切れ目のパターンは図１４の（a）〜（d）に示すような形状でもよい。また、図１４に示されている切れ目のパターンの裏図面（底面図）は、表図面（平面図）と対称につき省略する。
【００７５】
なお、図１１及び図１４に示すように第２切れ目が第１切れ目と接続している場合、並びに、第２切れ目が網状に広がるように設けられている場合は、特に第２切れ目がシート部の一部に絡み合いやすくなり、立体的に膨らんだ形状を保持しやすい。
【００７６】
さらに、第２切れ目は、第１切れ目に対して垂直方向に限られず、第１切れ目と交差する方向であれば、例えば図１４に示すように第１切れ目に対して斜めに設けてもよい。また、図１４に示すように、第２切れ目が隣接する第１切れ目に接続する第２切れ目の間に互いに切れ込む長さであれば網状に広がるため、特に第２切れ目が絡み合いやすくなる。
【００７７】
さらに、第３切れ目は、図１４に示すように縁部上に、対向する２本の線分を形成するように２つ設けてもよい。
【実施例３】
【００７８】
図１５（a）は、本願発明の実施例３に係る吸油紙５１の断面の概要を示す模式図である。吸油紙５１の表図面（平面図）は、実施例２と同様である。
【００７９】
吸油紙５１のシート部５３は、吸収性が高い第１シート５５（本願請求項の「第１シート」の一例）と、剛性が高い第２シート５７（本願請求項の「第１シート」の一例）の２層構造である。第１切れ目、第２切れ目及び第３切れ目は、第１シート５５及び第２シート５７を貫通している。
【００８０】
吸油紙５１は、高い吸収性と剛性が高い特性の両方を備えた特殊なシートを使用せずとも、高い吸収性と高い剛性を有する。
【００８１】
なお、第１切れ目、第２切れ目及び第３切れ目は、第１シート５５と第２シート５７のどちらか一方のみに設けてもよい。
【００８２】
図１５（b）は、白色の吸収性が高い第１シートと、茶色の剛性が高い第２シートとからなる吸油紙、図１５（c）は、白色の吸収性が高い第１シート２枚からなる吸油紙を示す図である。図１５の（d）と（e）は、（b）と（c）の吸油紙をそれぞれ横に引っ張って第２切れ目を広げた状態、（f）と（g）は、第２切れ目同士が絡み合って吸油紙が立体的に膨らんだ状態を示す図である。吸収性が高い第１シートに、剛性が高い第２シートを組み合わせると、図１５（f）に示すように第２切れ目同士が絡み合った立体状態が安定していた。一方で、吸収性が高いが剛性は低い第１シートを２枚用いた場合は、図１５（g）に示すように第２切れ目同士が絡み合って立体的にはなったが、部分的に隙間ができ、（f）よりは崩れやすかった。
【実施例４】
【００８３】
図１６（a）は、本願発明の実施例４に係る吸油紙６１の断面の概要を示す模式図である。吸油紙６１の表図面（平面図）は、実施例２と同様である。
【００８４】
吸油紙６１のシート部６３は、２枚の吸収性が高い第１シート６５で、剛性が高い第２シート６７を挟み込むように積層されている３層構造である。
【００８５】
吸油紙６１は、実施例３の吸油紙５１と同様に吸収性と高い剛性を併せ持つ。さらに、吸油紙６１は対象物に接する面が必ず吸収性が高い第１シート６５になるため、使用者が吸収シートの表裏を気にすることなく利用することができる。
【００８６】
図１６（b）は、白色の吸収性が高い第１シート２枚の間に、茶色の剛性が高い第２シート１枚を挟んでなる吸油紙、図１６（c）は、白色の吸収性が高い第１シート３枚からなる吸油紙を示す図である。図１６の（d）と（e）は、（b）と（c）の吸油紙をそれぞれ横に引っ張って第２切れ目を広げた状態、（f）と（g）は、第２切れ目同士が絡み合って吸油紙が立体的に膨らんだ状態を示す図である。吸収性が高い第１シートに、剛性が高い第２シートを組み合わせると、図１６（f）に示すように第２切れ目同士が絡み合った立体状態が安定していた。一方で、吸収性が高いが剛性は低い第１シートを２枚用いた場合は、図１６（g）に示すように第２切れ目同士が絡み合って立体的にはなったが、部分的に隙間が目立った。図１６（h）は、（f）と（g）に示す立体状態の吸油紙に一定の振動を与えた後の状態を示す図であり、（f）は振動を与えた後も嵩高いままであり、立体状態を安定させやすいことが分かる。
【００８７】
なお、吸油紙の形状は、正方形に限定されず、長方形、円形、台形、平行四辺形又は多角形としてもよい。
【００８８】
また、第１切れ目、第２切れ目及び第３切れ目は、シンプルな直線状に限定されず、曲線、波線又はジグザグ線といった直線以外の線状であってもよい。
【００８９】
さらに、第２切れ目は、利用者が網状に広げた際に切れ目となる程度に、例えばミシン目などを形成するように弱く接続されたものであってもよい。
【符号の説明】
【００９０】
１；吸油紙、３；シート部、５；切れ目、７；縁部、９；短冊部、１１；図５（Ａ）の立体形状を上部から見た状態、１３；図５（Ｂ）の立体形状を上部から見た状態、１５；図５（Ｃ）の立体形状を上部から見た状態、１７；図５（Ａ）の立体形状を側面から見た状態、１９；図５（Ｂ）の立体形状を側面から見た状態、２１；図５（Ｃ）の立体形状を側面から見た状態
３１；吸油紙、３３；シート部、３５；第１切れ目、３７；縁部、３９；短冊部、４１；第２切れ目、４３；第３切れ目
４５；吸油紙、４７；第２切れ目、４９；第３切れ目、５０；第１切れ目
５１；吸油紙、５３；シート部、５５；第１シート、５７；第２シート
６１；吸油紙、６３；シート部、６５；第１シート、６７；第２シート
【図１】
2020164247.tif 000004
【図２】
2020164247.tif 000005
【図３】
2020164247.tif 000006
【図４】
2020164247.tif 000007
【図５】
2020164247.tif 000008
【図６】
2020164247.tif 000009
【図７】
2020164247.tif 000010
【図８】
2020164247.tif 000011
【図９】
2020164247.tif 000012
【図１０】
2020164247.tif 000013
【図１１】
2020164247.tif 000014
【図１２】
2020164247.tif 000015
【図１３】
2020164247.tif 000016
【図１４】
2020164247.tif 000017
【図１５】
2020164247.tif 000018
【図１６】
2020164247.tif 000019
【手続補正書】
【提出日】令和2年5月5日(2020.5.5)
【手続補正１】
【補正対象書類名】特許請求の範囲
【補正対象項目名】全文
【補正方法】変更
【補正の内容】
【特許請求の範囲】
【請求項１】
対象物の表面に付いた液滴や液膜を除去する吸収シート（３１）であって、
向かい合う二辺を有するシート状の形態であるシート部（３３）と、
前記シート部に設けられた複数の第１切れ目（３５）と、
前記第１切れ目と交差する方向に設けられた前記第１切れ目よりも短い複数の第２切れ目（４１）と、
前記シート部の前記向かい合う二辺に、前記第１切れ目及び前記第２切れ目が入っていない縁部（３７）と、
前記縁部を残し、前記縁部の前記二辺に対して垂直方向に設けられた複数の前記第１切れ目が形成する複数の短冊からなる短冊部（３９）とを備え、
複数の前記短冊は、前記縁部でつながったものであり、
前記第１切れ目同士の間に、複数の前記第２切れ目が設けられていて、
１本の前記第１切れ目に対して複数の前記第２切れ目が接続している、吸収シート。
【請求項２】
複数の前記第２切れ目は、千鳥状に設けられていて、前記シート部を前記第２切れ目に対して垂直方向に引っ張ると前記シート部が網状に広がる、請求項１記載の吸収シート。
【請求項３】
前記第２切れ目と交差する方向の前記シート部の辺に複数の前記第２切れ目が達している、請求項２記載の吸収シート。
【請求項４】
前記縁部に、前記第１切れ目と交差する方向に設けられた第３切れ目とをさらに備える、請求項１から３のいずれかに記載の吸収シート。
【請求項５】
前記シート部は、
第１シートと、
前記第１シートよりも剛性が高い第２シートの複数のシートを有し、
前記第１シートは、前記第２シートよりも吸収性が高く、
前記第１切れ目及び前記第２切れ目の少なくともいずれか一方の少なくとも一部は、前記第１シート及び前記第２シートを貫通している、請求項１から４のいずれかに記載の吸収シート。
【請求項６】
複数の前記第１シートが、前記第２シートを挟み込むように積層されている、請求項５記載の吸収シート。
【請求項７】
請求項１から６のいずれかに記載の前記吸収シートが切り取り線を介して複数枚接続されている、吸収シートロール。
【請求項８】
揚げ物の表面に付いた油滴や油膜を吸油する吸油方法であって、
請求項１から６のいずれかに記載の前記吸収シートを揉むことにより、少なくとも一部の前記第２切れ目が前記シート部の一部に引っ掛かっている立体形状にする立体化工程と、
前記立体化工程により立体化した前記吸収シートの上に前記揚げ物を置く静置工程とを含む、吸油方法。
【請求項９】
前記立体化工程の前に、請求項３から６のいずれかに記載の前記吸収シートの前記シート部を前記第２切れ目に対して垂直方向に引っ張って前記シート部を網状に広げる網状化工程をさらに含む、請求項８記載の吸油方法。